(57)【要約】【課題】  画像データの中から所望の画像データを高速に検索することが可能な画像表示制御装置を提供する。【解決手段】  デジタルカメラの使用者が、操作部を操作してデジタルカメラを再生モードに設定すると、表示部には画像１が表示される。この状態で、使用者が、操作（１）を繰り返し行っていくと、図３（ａ）に示すように、表示部には画像１→画像２→画像３→画像４→画像５→画像６→画像７の順に画像が切り替え表示される。このとき、画像３〜６には、その画像が連写画像データに基づく画像であることを示すアイコン３１が併せて表示される。図３（ａ）に示すように、表示部に画像３が表示されているときに、使用者が操作（２）を行うと、表示部に画像４〜６は表示されず、画像７が表示される。又、表示部に画像３が表示されているときに、使用者が操作（３）を行うと、操作（１）を行わずとも、画像３〜６までが表示部に自動的に順次表示され、画像６の表示が終わると、表示部には画像３が表示される。【選択図】  図１
2005086763.tif 000002
【特許請求の範囲】
【請求項１】
記録媒体に記録された画像データに基づく画像の表示を制御する画像表示制御装置であって、
前記画像データに含まれる連写画像データを判別する連写画像判別手段と、
前記画像データに基づく画像の表示の切り替えを指示する表示切り替え指示に応じて、前記画像データに基づく画像を切り替え表示させる表示制御を行う表示制御手段とを備え、
前記表示切り替え指示は、第１の表示切り替え指示及び第２の表示切り替え指示を含んでおり、
前記表示制御手段は、前記第１の表示切り替え指示に応じて、前記画像データに基づく画像を前記記録媒体への記録順序にしたがって切り替え表示させる表示制御を行い、前記連写画像データに基づく画像を表示させている場合、前記第２の表示切り替え指示に応じて、前記連写画像データの次に前記記録媒体に記録されている画像データに基づく画像を表示させる表示制御を行うものである画像表示制御装置。
【請求項２】
請求項１記載の画像表示制御装置であって、
前記表示制御手段は、前記第１の表示切り替え指示に応じて、前記画像データのうちの任意の画像データに基づく画像から当該画像データよりも前に前記記録媒体に記録されている画像データに基づく画像へ表示を切り替えさせる表示制御を行う際に、前記前に前記記録媒体に記録されている画像データが前記連写画像データのうちの最後に記録された画像データであった場合、前記連写画像データのうちの最初に記録された画像データ以外の画像データに基づく画像の表示制御をスキップして、前記最初に記録された画像データに基づく画像を表示させるものである画像表示制御装置。
【請求項３】
請求項１又は２記載の画像表示制御装置であって、
前記表示切り替え指示は、第３の表示切り替え指示を含んでおり、
前記表示制御手段は、前記連写画像データに基づく画像の表示中に行われる前記第３の表示切り替え指示に応じて、前記連写画像データに基づく画像を、前記第１の表示切り替え指示なしに、連写された順番で切り替え表示させるものである画像表示制御装置。
【請求項４】
請求項１又は２記載の画像表示制御装置であって、
前記表示制御手段は、前記第１の表示切り替え指示に応じて、前記画像データのうちの任意の画像データに基づく画像から当該画像データよりも後に前記記録媒体に記録されている画像データに基づく画像へ表示を切り替えさせる表示制御を行う際に、前記後に前記記録媒体に記録されている画像データが前記連写画像データのうちの最初に記録された画像データであった場合、前記連写画像データに基づく画像を、前記第１の表示切り替え指示なしに、連写された順番で切り替え表示させるものである画像表示制御装置。
【請求項５】
請求項１〜４のいずれか記載の画像表示制御装置であって、
前記表示制御手段は、前記連写画像データに基づく画像と共に、当該画像が前記連写画像データに基づく画像であることを示す情報を表示させるものである画像表示制御装置。
【請求項６】
請求項１〜５のいずれか記載の画像表示制御装置を備えるデジタルカメラ。
【請求項７】
コンピュータを、請求項１〜５のいずれか記載の画像表示制御装置の各手段として機能させるための画像表示制御プログラム。
【発明の詳細な説明】
【技術分野】
【０００１】
本発明は、記録媒体に記録された画像データに基づく画像の表示を制御する画像表示制御装置、デジタルカメラ、及び画像表示制御プログラムに関する。
【０００２】
従来、記録媒体に記録された複数の撮影画像データから所望の撮影画像データを検索する技術として、例えば、特許文献１記載の撮影画像表示装置がある。この装置は、記憶媒体に記憶されている撮影画像データをその撮影日時で分類しておき、分類した撮影画像データをカレンダに対応させて表示し、カレンダの中から指定された撮影日時に含まれる撮影画像データに基づく画像を表示可能とするものである。この装置によれば、利用者がカレンダ表示の指示を行い、所望の日付を選択し、選択した日付に撮影された撮影画像データの中から所望の撮影画像データを検索することで、大量の撮影画像データの中から所望の撮影画像データを容易に検索することができる。
【０００３】
【特許文献１】特開平１１−２１５４５７号公報
【発明の開示】
【発明が解決しようとする課題】
【０００４】
特許文献１記載の装置では、選択した日付に撮影された撮影画像データに基づく画像を表示部に表示させた上で、所望の撮影画像データを探す必要があるが、選択した日付に撮影された撮影画像データに連写画像データが含まれている場合、表示部には同じようなシーンの画像が何枚も表示されることになり、所望の画像を検索するのに時間がかかってしまう。
【０００５】
本発明は、上記事情に鑑みて為されたものであり、画像データの中から所望の画像データを高速に検索することが可能な画像表示制御装置、デジタルカメラ、及び画像表示制御プログラムを提供することを目的とする。
【課題を解決するための手段】
【０００６】
本発明の画像表示制御装置は、記録媒体に記録された画像データに基づく画像の表示を制御する画像表示制御装置であって、前記画像データに含まれる連写画像データを判別する連写画像判別手段と、前記画像データに基づく画像の表示の切り替えを指示する表示切り替え指示に応じて、前記画像データに基づく画像を切り替え表示させる表示制御を行う表示制御手段とを備え、前記表示切り替え指示は、第１の表示切り替え指示及び第２の表示切り替え指示を含んでおり、前記表示制御手段は、前記第１の表示切り替え指示に応じて、前記画像データに基づく画像を前記記録媒体への記録順序にしたがって切り替え表示させる表示制御を行い、前記連写画像データに基づく画像を表示させている場合、前記第２の表示切り替え指示に応じて、前記連写画像データの次に前記記録媒体に記録されている画像データに基づく画像を表示させる表示制御を行うものである。
【０００７】
この構成により、第１の表示切り替え指示に応じて、画像データに基づく画像を記録媒体への記録順で切り替え表示させることができる。又、連写画像データに基づく画像（例えば、連写開始時の画像）の表示中に第２の表示切り替え指示があった場合には、残りの連写画像の表示をスキップして、連写画像データの次の画像データに基づく画像へと表示を切り替えることができる。このため、画像を高速に検索することができる。
【０００８】
又、本発明の画像表示制御装置は、前記表示制御手段が、前記第１の表示切り替え指示に応じて、前記画像データのうちの任意の画像データに基づく画像から当該画像データよりも前に前記記録媒体に記録されている画像データに基づく画像へ表示を切り替えさせる表示制御を行う際に、前記前に前記記録媒体に記録されている画像データが前記連写画像データのうちの最後に記録された画像データであった場合、前記連写画像データのうちの最初に記録された画像データ以外の画像データに基づく画像の表示制御をスキップして、前記最初に記録された画像データに基づく画像を表示させるものである。
【０００９】
この構成により、第１の表示切り替え指示に応じて、連写画像データよりも後に記録媒体に記録された画像データに基づく画像から、連写画像データに基づく画像（連写終了時の画像）へ表示を切り替える場合、連写開始時の画像以外の画像の表示をスキップして、連写開始時の画像のみを表示させることができる。このため、違和感のない画像表示が可能となる。
【００１０】
又、本発明の画像表示制御装置は、前記表示切り替え指示が、第３の表示切り替え指示を含んでおり、前記表示制御手段が、前記連写画像データに基づく画像の表示中に行われる前記第３の表示切り替え指示に応じて、前記連写画像データに基づく画像を、前記第１の表示切り替え指示なしに、連写された順番で切り替え表示させるものである。
【００１１】
この構成により、連写画像データに基づく画像の表示中に第３の表示切り替え指示を行うことで、連写画像データに基づく画像を連写された順番で自動的に切り替え表示させることができる。このため、連写画像データに基づく画像について第１の表示切り替え指示を行って画像を確認する必要がなく、画像を確認する際の作業を簡易化することができる。
【００１２】
又、本発明の画像表示制御装置は、前記表示制御手段が、前記第１の表示切り替え指示に応じて、前記画像データのうちの任意の画像データに基づく画像から当該画像データよりも後に前記記録媒体に記録されている画像データに基づく画像へ表示を切り替えさせる表示制御を行う際に、前記後に前記記録媒体に記録されている画像データが前記連写画像データのうちの最初に記録された画像データであった場合、前記連写画像データに基づく画像を、前記第１の表示切り替え指示なしに、連写された順番で切り替え表示させるものである。
【００１３】
この構成により、第１の表示切り替え指示に応じて連写画像データの最初の画像データに基づく画像を表示させた後は、第１の表示切り替え指示なしに連写画像データに基づく画像を連写された順番で自動的に切り替え表示させることができる。このため、連写画像データに基づく画像について第１の表示切り替え指示を行って画像を確認する必要がなく、画像を確認する際の作業を簡易化することができる。
【発明の効果】
【００１４】
本発明によれば、画像データの中から所望の画像データを高速に検索することが可能な画像表示制御装置、デジタルカメラ、及び画像表示制御プログラムを提供することができる。
【発明を実施するための最良の形態】
【００１５】
図１は、本発明を実施するための最良の形態を説明するための画像表示制御装置を搭載するデジタルカメラの概略構成を示す図である。
デジタルカメラ１００は、操作部１１と、記録媒体１２と、撮影処理部１３と、表示部１４と、内部メモリ１５と、制御部１６とを備える。
【００１６】
操作部１１は、デジタルカメラ１００使用時の各種操作を行うもので、デジタルカメラ１００の動作モード（撮影モード、再生モード等）、撮影時の撮影方法、撮影条件、及び設定等を行う。操作部１１は、例えば、十字キーやボタン、ジョグダイヤル等から構成される。操作部１１を操作することにより、その指示が制御部１６に伝わり、制御部１６が各種動作を行う。
【００１７】
記録媒体１２は、デジタルカメラ１００本体に着脱可能な、例えば、スマートメディア（登録商標）やコンパクトフラッシュ（登録商標）、ＳＤメモリカード（登録商標）等のリムーバブルメディアであり、デジタルカメラ１００で撮影された複数の画像データが記憶される。尚、記憶媒体１２はリムーバブルメディアに限らず、デジタルカメラ１００本体に内蔵されたフラッシュメモリ等からなるメモリであってもよい。又、記録媒体１２に記録される画像データは、デジタルカメラ１００で撮影されたものに限らない。
【００１８】
図２は、記録媒体１２のファイル構成例を示す図である。
同図に示すように、記録媒体１２には、ファイル名１〜７までの画像データが撮影された順に記録されている。ファイル名３〜６の画像データは、連写画像データを構成している。以下では、ファイル名１〜７の画像データに基づく画像を、それぞれ画像１〜７と呼ぶことにする。
【００１９】
撮影処理部１３は、撮像レンズ、絞り機構、及びオートフォーカス機構等を備えた光学系と、ＣＣＤ等の固体撮像素子と、信号処理部とを備え、光学系を介してＣＣＤに結像された被写体像を電気信号に変換し、その電気信号に所定の信号処理を施して画像データを生成する。ここで生成された画像データは、その撮影された順に記録媒体１２に記録される。
【００２０】
表示部１４は、例えばＬＣＤ表示装置を含んで構成され、記録媒体１２に記録された画像データに基づく画像を表示する。また、撮影時のスルー画像、デジタルカメラ１００の各種状態、操作に関する情報の表示等も可能である。
【００２１】
内部メモリ１５は、例えばＤＲＡＭであり、撮影処理部１３や制御部１６のワークメモリとして利用される他、記録媒体１２に記録される画像データを一時的に記憶するバッファメモリや表示部１４への表示用画像データのバッファメモリとしても利用される。
【００２２】
制御部１６は、図示しないＲＯＭに記録されている所定のプログラムによって動作するプロセッサを主体に構成され、各部を統括制御する。制御部１６は、記録媒体１２に記録された画像データに基づく画像１〜７の表示の切り替えを指示する第１〜第３の表示切り替え指示に応じて、画像１〜７を切り替え表示させる表示制御を行う機能と、画像１〜７に含まれる連写画像データを判別する連写画像判別機能とを有する。連写画像データの判別は、記録媒体１２に記録された画像データ同士の撮影間隔に基づいて行うが、単写モードと連写モードとのどちらで撮影されたものかを示す情報が画像データに対応付けて記録媒体１２に記録されている場合は、その情報を参照して判別を行う。
【００２３】
制御部１６は、第１の表示切り替え指示（例えば、十字キーの左又は右への１回押下操作）に応じて、画像１〜７を記録媒体１２への記録順序にしたがって切り替え表示させる表示制御を行う。
【００２４】
制御部１６は、連写画像データに基づく画像３〜６が表示部１４に表示されている場合に第２の表示切り替え指示（例えば、十字キーの左又は右への長押し操作）が行われると、その指示に応じて、連写画像データの次に記録媒体１２に記録されている画像データに基づく画像７を表示させる表示制御を行う。
【００２５】
制御部１６は、連写画像データに基づく画像３〜６が表示部１４に表示されているときに、第３の表示切り替え指示（例えば、十字キーの下への長押し操作）が行われると、その指示に応じて、画像３〜６を、第１の表示切り替え指示なしに、連写された順番で切り替え表示させる表示制御を行う。
【００２６】
制御部１６は、第１の表示切り替え指示に応じて、記録媒体１２に記録されている画像データのうちの任意の画像データに基づく画像から当該画像データよりも前に記録媒体１２に記録されている画像データに基づく画像へ表示を切り替えさせる表示制御を行う際に、前に記録媒体１２に記録されている画像データが連写画像データのうちの最後に記録された画像データ（ファイル名６）であった場合、連写画像データのうちの最初に記録された画像データ（ファイル名３）以外の画像データに基づく画像４〜６の表示制御をスキップして、最初に記録された画像データに基づく画像３を表示させる表示制御を行う。
【００２７】
制御部１６は、第１の表示切り替え指示に応じて、記録媒体１２に記録されている画像データのうちの任意の画像データに基づく画像から当該画像データよりも後に記録媒体１２に記録されている画像データに基づく画像へ表示を切り替えさせる表示制御を行う際に、後に記録媒体１２に記録されている画像データが連写画像データのうちの最初に記録された画像データ（ファイル名３）であった場合、連写画像データに基づく画像３〜６を、第１の表示切り替え指示なしに、連写された順番で切り替え表示させる表示制御を行う。
【００２８】
制御部１６は、上記連写画像判別機能による判別結果を利用して、表示部１４に表示中の画像が連写画像データに基づく画像であることを示す情報を、連写画像データに基づく画像の表示と一緒に表示部１４に表示させる。
【００２９】
以下、デジタルカメラ１００の動作について、表示部１４の画面遷移を示す図を用いて説明する。
図３は、本発明を実施するための最良の形態を説明するためのデジタルカメラの表示部の画面遷移を示す図であり、（ａ）は記録媒体１２への記録順に画像を切り替え表示させるときの画面遷移を示す図、（ｂ）は記録媒体１２への記録順とは逆順に画像を切り替え表示させるときの画面遷移を示す図である。
【００３０】
図３において、符号（１）は、十字キーの右への１回押下操作を示す。符号（２）は、十字キーの右への長押し操作を示す。符号（３）は、十字キーの下への長押し操作を示す。符号（４）は、十字キーの左への１回押下操作を示す。図３では、符号（１）〜（４）の操作が行われたときの画面遷移の流れを矢印で示してある。
【００３１】
デジタルカメラ１００の使用者が、操作部１１を操作してデジタルカメラ１００を再生モードに設定すると、表示部１４には画像１が表示される。この状態で、使用者が、操作（１）を繰り返し行っていくと、図３（ａ）に示すように、表示部１４には画像１→画像２→画像３→画像４→画像５→画像６→画像７の順に画像が切り替え表示される。このとき、画像３〜６には、その画像が連写画像データに基づく画像であることを示すアイコン３１が併せて表示される。
【００３２】
図３（ａ）に示すように、表示部１４に画像３が表示されているときに、使用者が操作（２）を行うと、制御部１６は、表示部１４に表示中の画像が連写画像か否かを連写画像判別機能により判断する。画像３は連写画像であるため、表示部１４に画像４〜６は表示されず、画像７が表示される。又、表示部１４に画像３が表示されているときに、使用者が操作（３）を行うと、制御部１６は、表示部１４に表示中の画像が連写画像か否かを連写画像判別機能により判断する。画像３は連写画像であるため、操作（１）を行わずとも、画像３〜６までが表示部１４に自動的に順次表示され、画像６の表示が終わると、表示部１４には画像３が表示される。
【００３３】
又、デジタルカメラ１００の使用者が、画像７を表示部１４に表示させた状態から、操作（１）とは逆向きの操作（４）を行うと、制御部１６は、表示部１４に次に表示させる画像が連写画像か否かを連写画像判別機能により判断する。画像６は連写画像の最後の画像であるため、図３（ｂ）に示すように、表示部１４に画像６は表示されず、画像３が表示される。使用者が、画像３の表示中に操作（４）を行っていくと、表示部１４には画像３→画像２→画像１の順に画像が切り替え表示される。
【００３４】
以上のようにデジタルカメラ１００によれば、画像３の表示中に十字キーを右に長押しすることで、残りの画像４〜６の表示をスキップして次の画像７を表示させることができる。このため、記録媒体１２に連写画像データが大量に記録されている場合でも、画像の確認に要する時間を短縮することができ、所望の画像を高速に検索することが可能になる。
【００３５】
上記では、画像３の表示中に十字キーを右に長押しすることで、残りの画像４〜６の表示をスキップして次の画像７を表示させているが、画像４〜６のいずれかの表示中に十字キーを右に長押しすることで、残りの画像の表示をスキップして次の画像７を表示させても良い。これにより、連写画像データに基づく画像を途中まで確認してから画像をスキップさせることができ、画像検索の利便性が向上する。
【００３６】
又、デジタルカメラ１００によれば、画像３が表示部１４に表示されているときに、十字キーを下に長押しすることで、画像３〜６を順次自動的に表示部１４に表示させることができる。このため、十字キーの右押し操作を繰り返して画像３〜６を順次確認していくといった煩わしい作業を行うことなく、連写画像データに基づく画像の確認を行うことができる。
【００３７】
上記では、画像３の表示中に十字キーを下に長押しすることで、画像３〜６を順次自動的に表示部１４に表示させているが、画像４〜６のいずれかの表示中に十字キーを下に長押しした場合でも、同様に画像３〜６を順次自動的に表示部１４に表示させても良い。
【００３８】
又、デジタルカメラ１００によれば、画像７から画像１までの順に表示を切り替えていく場合、画像７→画像６→画像５→画像４→画像３→画像２→画像１の順に画像が順次切り替え表示させるのではなく、画像７→画像３→画像２→画像１の順に画像を順次切り替え表示させることができる。連写画像データに基づく画像を連写された順番とは逆順で切り替え表示させていくと、使用者に違和感を与えてしまうが、デジタルカメラ１００によれば、そのようなことをなくすことができる。
【００３９】
又、デジタルカメラ１００によれば、画像３〜６には、その画像が連写画像データに基づく画像であることを示すアイコン３１が表示される。このため、使用者は、表示部１４に表示中の画像が連写画像データに基づく画像か否かを容易に判断することができる。上記判断ができることにより、使用者は、連写画像データに基づく画像の表示をスキップするのか、自動で表示させるのか、１つずつ切り替えて表示させるのか等を決めることができる。
【００４０】
尚、本実施形態では、表示部１４に画像３が表示されているときに、使用者が操作（３）を行うと、操作（１）を行わずとも、画像３〜６までが表示部１４に自動的に順次表示されるようになっているが、操作（１）により、画像２から画像３に表示を切り替えた時点で、使用者による操作（３）が行われなくても、画像３〜６を自動的に表示部１４に切り替え表示させるように制御部１６が制御しても良い。このようにすることで、使用者は、操作（３）を行わずに、画像３〜６を自動的に表示部１４に表示させることができるため、デジタルカメラ１００の使い勝手が向上する。
【００４１】
又、本実施形態では、十字キーの操作により、第１〜第３の表示切り替え指示を行うようにしているが、例えば、表示部１４に表示する画像３〜６の各々に上記３つの指示に対応するメニューアイコンを表示させて、そのメニューアイコンを使用者が選択することにより、上記３つの指示を行うことができるようにしても良い。
【００４２】
又、本実施形態では、使用者からの第１及び第４の表示切り替え指示に応じて画像を記録媒体１２への記録順序で切り替え表示させるようにしているが、スライドショーのように、所定時間おきに自動で画像を切り替え表示させる場合でも、上述した内容を適用することが可能である。この場合は、第１又は第４の表示切り替え指示を所定時間おきに制御部１６に入力し、制御部１６が入力された指示に応じて表示制御を行うようにすれば良い。
【図面の簡単な説明】
【００４３】
【図１】本発明を実施するための最良の形態を説明するための画像表示制御装置を搭載するデジタルカメラの概略構成を示す図
【図２】本発明を実施するための最良の形態を説明するための画像表示制御装置を搭載するデジタルカメラの記録媒体のファイル構成例を示す図
【図３】本発明を実施するための最良の形態を説明するための画像表示制御装置を搭載するデジタルカメラの表示部の画面遷移を示す図であり、（ａ）は記録媒体への記録順に画像を切り替え表示させるときの画面遷移を示す図、（ｂ）は記録媒体への記録順とは逆順に画像を切り替え表示させるときの画面遷移を示す図
【符号の説明】
【００４４】
１００  デジタルカメラ
１１  操作部
１２  記録媒体
１３  撮影処理部
１４  表示部
１５  内部メモリ
１６  制御部
【図１】
2005086763.tif 000003
【図２】
2005086763.tif 000004
【図３】
2005086763.tif 000005